(57)【要約】【課題】照明器具の一部とポールの外面との間の隙間を塞ぐことが可能なシール部材及びそれを備える照明器具を提供する。【解決手段】シール部材７は、複数の嵌合部材７１を備える。複数の嵌合部材７１は、長手方向の第１端及び第２端１０２を有するポール１０ｂにおける第２端１０２の外面と、ポール１０ｂの第２端１０２を覆う照明器具１においてポール１０ｂの第２端１０２の外面に対向する面との間の隙間５０３に配置される。複数の嵌合部材７１は、互いに嵌合されることで、筒部７２と筒部７２の軸方向の一端（第１端）７２ｃにおいて筒部７２の周方向の全周に亘って筒部７２の外方に突出する鍔部７３とを有する形状となる。複数の嵌合部材７１は、同一形状であって、筒部７２の周方向に交差する２つの端面（第１端面７２ａ，第２端面７２ｂ）を有する。【選択図】図２
2018132081.tif 000002
【特許請求の範囲】
【請求項１】
長手方向の第１端及び第２端を有するポールにおける前記第２端の外面と、前記ポールの前記第２端を覆う照明器具において前記ポールの前記第２端の外面に対向する面との間の隙間に配置されて、互いに嵌合されることで、筒部と前記筒部の軸方向の一端において前記筒部の周方向の全周に亘って前記筒部の外方に突出する鍔部とを有する形状となる複数の嵌合部材を備え、
前記複数の嵌合部材は、同一形状であって、前記筒部の周方向に交差する２つの端面を有する、
ことを特徴とするシール部材。
【請求項２】
前記複数の嵌合部材の各々は、前記２つの端面のうち一方の端面である第１端面に形成されている第１嵌合部と、前記２つの端面のうち他方の端面である第２端面に形成されている第２嵌合部とを備え、
前記複数の嵌合部材のうち前記筒部の前記周方向において隣り合う２つの嵌合部材の一方の嵌合部材の第１嵌合部と、他方の嵌合部材の第２嵌合部とが嵌合可能である、
ことを特徴とする請求項１に記載のシール部材。
【請求項３】
前記第１嵌合部が、前記第１端面から前記筒部の前記周方向に沿った方向に突出した凸部であり、
前記第２嵌合部が、前記第２端面に形成された凹部である、
ことを特徴とする請求項２に記載のシール部材。
【請求項４】
前記照明器具が前記ポールに対してねじにより取り付けられるように構成されており、前記複数の嵌合部材の各々は、前記軸方向に平行な方向に沿って形成されており前記鍔部とは反対側が開放された第１切欠き部と、前記嵌合部材において、前記周方向に沿って形成され前記第１切欠き部と繋がっている第２切欠き部と、を備え、
前記第１切欠き部及び前記第２切欠き部の幅は前記ねじの軸部の外径よりも大きい、
ことを特徴とする請求項１〜３の何れか一項に記載のシール部材。
【請求項５】
前記複数の嵌合部材の各々は、弾性体であり、
前記第２切欠き部における前記第１切欠き部側で、前記第２切欠き部の縁部から前記軸方向に平行する方向に突出した突部を更に備える、
ことを特徴とする請求項４に記載のシール部材。
【請求項６】
長手方向の第１端及び第２端を有するポールの前記第２端の外面に対向する面を有する器具本体と、前記器具本体において、前記ポールの前記第２端の前記外面に対向する面と前記外面との隙間に配置される請求項１〜５の何れか一項に記載のシール部材と、を備える、
ことを特徴とする照明器具。
【発明の詳細な説明】
【技術分野】
【０００１】
本発明は、シール部材及びそれを備える照明器具に関し、より詳細には、照明器具の一部とポールの外面との間の隙間に配置されるシール部材及びそれを備える照明器具に関する。
【背景技術】
【０００２】
従来、照明装置として、共通ホルダを備え、この共通ホルダを用いて外径の異なる２種類のポールに取り付け可能な照明器具が提案されている（例えば、特許文献１）。特許文献１の照明装置は、共通ホルダを用いて外径の異なる２種類のポールに取り付け可能に構成される。共通ホルダは、円形状に一体形成されたもので、小ポール用取付部、大ポール用取付部、グローブ用取付部を有して形成される。
【０００３】
グローブ用取付部は、共通ホルダの下端に位置する。グローブ用取付部は、円盤の台座形状に形成されている。グローブ用取付部の所定位置には、複数のグローブ取付用孔が設けられており、これらのグローブ取付用孔を用いて、グローブ用取付部上に載置される比較的小さい真球状のグローブに対してねじで螺合することにより、真球状のグローブを固定する。
【０００４】
大ポール用取付部は、グローブ用取付部の内側内周部分が垂直上方向に延設され、２種類のポールのうち相対的に外径の大きなポール（大ポール）を嵌装できるように形成されている。
【０００５】
小ポール用取付部には、２種類のポールのうち相対的に外径の小さなポール（小ポール）の外周片が挿入される小ポール用挿入溝が設けられている。
【先行技術文献】
【特許文献】
【０００６】
【特許文献１】特開平１１−２８８６１５号公報
【発明の概要】
【発明が解決しようとする課題】
【０００７】
特許文献１の照明装置では、照明装置が小ポールに取り付けられた場合、大ポール用取付部の内周面と、小ポールの外周面（外面）との間に隙間が生じてしまう。
【０００８】
本発明は、上記事由に鑑みてなされており、照明器具の一部とポールの外面との間の隙間を塞ぐことが可能なシール部材及びそれを備える照明器具を提供することを目的とする。
【課題を解決するための手段】
【０００９】
本発明に係る一態様のシール部材は、複数の嵌合部材を備える。前記複数の嵌合部材は、長手方向の第１端及び第２端を有するポールにおける前記第２端の外面と、前記ポールの前記第２端を覆う照明器具において前記ポールの前記第２端の外面に対向する面との間の隙間に配置される。前記複数の嵌合部材は、互いに嵌合されることで、筒部と前記筒部の軸方向の一端において前記筒部の周方向の全周に亘って前記筒部の外方に突出する鍔部とを有する形状となる。前記複数の嵌合部材は、同一形状であって、前記筒部の周方向に交差する２つの端面を有する。
【００１０】
本発明に係る一態様の照明器具は、長手方向の第１端及び第２端を有するポールの前記第２端の外面に対向する面を有する器具本体と、前記器具本体において、前記ポールの前記第２端の前記外面に対向する面と前記外面との隙間に配置される上述のシール部材とを備える。
【発明の効果】
【００１１】
本発明の態様のシール部材及びそれを備える照明器具は、照明器具の一部とポールの外面との間の隙間を塞ぐことが可能となるという効果がある。
【図面の簡単な説明】
【００１２】
【図１】図１は本発明の一実施形態に係るシール部材を備える照明器具の正面図である。
【図２】図２は同上のシール部材を備える照明器具の一部破断した正面図である。
【図３】図３Ａは同上のシール部材を備える照明器具の要部の平面図である、図３Ｂは同上を備える照明器具の光源を示す下面図である。
【図４】図４は同上のシール部材を備える照明器具の断面図である。
【図５】図５は同上のシール部材を備える照明器具の要部の下面図である。
【図６】図６は同上のシール部材を備える照明器具の取付部材の下面図である。
【図７】図７は同上のシール部材を備える照明器具の斜視図である。
【図８】図８Ａは同上のシール部材の分解斜視図である、図８Ｂは同上のシール部材を示し、図８ＡのＸ１−Ｘ２断面矢視図である。
【図９】図９は本発明の一実施形態に係るシール部材を備える照明器具が大ポールに取り付けられた状態を示す一部破断した正面図である。
【図１０】図１０Ａ〜１０Ｅは本発明の一実施形態に係るシール部材の取り付け方法の説明図である。
【図１１】図１１は本発明の一実施形態の変形例に係るシール部材を備える照明器具が中ポールに取り付けられた状態を示す一部破断した正面図である。
【発明を実施するための形態】
【００１３】
（実施形態）
以下、本発明の一実施形態に係るシール部材７及びシール部材７を備える照明器具１について図１〜１０に基づいて説明する。
【００１４】
照明器具１は、図１に示すように、例えば、地表面２０１から突出しているポール１０に取り付けられる。ポール１０は、例えば、円筒状に形成されている。照明器具１は、外径の異なる３種類のポール１０（１０ｂ，１０ａ，１０ｃ）に取付可能である（図２、図９、及び図１１参照）。照明器具１は、ポール１０の周辺に光を照射する街路灯又は公園灯、又は道路灯などとして使用される。ポール１０は、長手方向の第１端１０１及び第２端１０２を有する。ポール１０は、例えば、第１端１０１が地中又はコンクリートなどに埋め込まれて、地中又はコンクリートなどに固定される。また、照明器具１は、図２に示すように、ポール１０の第２端１０２に取り付けられる。
【００１５】
照明器具１は、複数（ここでは、４つ）の光源２（図３Ａ及び３Ｂ参照）と、器具本体３と、シール部材７とを備える。ただし、光源２は、照明器具１に必須の構成要素ではない。照明器具１は、図２に示すように、ポール１０に取り付けるための取付部材５を備えており、ポール１０の第２端１０２の少なくとも一部を覆うようにポール１０に取り付け可能である。ここで、照明器具１においてポール１０の外面に対向する面とポール１０との間には、隙間５０３が生じる場合がある。シール部材７は、隙間５０３を塞ぐように配置される。
【００１６】
以下、照明器具１の各構成要素についてより詳細に説明する。
【００１７】
複数の光源２の各々は、図３Ｂ及び図４に示すように、ＬＥＤ２０と、一対のコネクタ２３（図３参照）と、ＬＥＤ２０及び一対のコネクタ２３が実装された回路基板２２とを備える。ＬＥＤ２０は、複数のＬＥＤチップ２０ａと、これらの複数のＬＥＤチップ２０ａを覆っている波長変換部２０ｂとを有する。ＬＥＤチップ２０ａは、例えば、青色光を放射する。波長変換部２０ｂは、例えば、ＬＥＤチップ２０ａから放射された青色光により、励起されて黄色光を放射する蛍光体と透光性材料（例えば、シリコーン樹脂）とを含む。一対のコネクタ２３の各々に接続されている電線は、ポール１０内を通っている電源線を介して、電源ユニットに接続されている。ここにおいて、電源ユニットは、複数の光源２の各々にＬＥＤ２０を点灯させるための電力を供給する。電源ユニットは、例えば、ポール１０内に配置される。
【００１８】
器具本体３は、図４に示すように、複数の光源２を収納するハウジング４と、ポール１０の第２端１０２（図２参照）に取り付けるための筒状の取付部材５とを備える。ハウジング４は、複数の光源２の各々が複数の（ここでは、２つ）のねじ６１によって取り付けられる取付ベース４２を有する。ハウジング４は、複数の光源２を覆うように取付ベース４２に取り付けられるグローブ（globe）４１と、取付部材５の上面側を覆う覆板４３とを更に備える。
【００１９】
取付ベース４２は、金属、例えば、Ｚｎ−Ａｌ系合金メッキされた鋼板などによって形成される。取付ベース４２は、図４に示すように、下面に開口を有する丸箱状に形成される。取付ベース４２は、円板状に形成される上壁４２１と、上壁４２１の周縁から下方に突出する側壁４２２とを有する。取付ベース４２の上壁４２１の中央部には、貫通孔４２３が形成される。貫通孔４２３の開口形状は、円形状である。
【００２０】
グローブ４１は、複数の光源２から放射された光を透過させる。ここにおいて、グローブ４１は、透光性を有する合成樹脂、例えば、アクリル樹脂によって形成される。グローブ４１は、図４に示すように、取付ベース４２に対して、取付ベース４２の上壁４２１の下面側に配置される。グローブ４１は、上面に開口を有する丸箱状に形成される。グローブ４１は、図４及び図５に示すように、円板状の底壁４１１と、底壁４１１の周縁から上方に突出する側壁４１２と、側壁４１２の上端から外側に向かって突出する外鍔４１３とを有する。底壁４１１と側壁４１２と外鍔４１３とは、一体に形成される。グローブ４１の底壁４１１の中央部には、貫通孔４１４が形成される。貫通孔４１４の開口形状は、円形状である。貫通孔４１４には、取付部材５の第１筒部５１が通される。取付部材５の第１筒部５１は、円筒状に形成される。貫通孔４１４の内径は、取付部材５の第１筒部５１の外径と略同じである。グローブ４１の外鍔４１３の外縁は、取付ベース４２の側壁４２２で覆われる。照明器具１では、取付ベース４２覆板４３とでグローブ４１の上面の開口を塞ぐ。
【００２１】
照明器具１は、グローブ４１の外鍔４１３と取付ベース４２の上壁４２１との間に介在する円環状のパッキン４４を備える。パッキン４４は、周方向における直交する断面がＵ字状に形成される。これにより、パッキン４４は、グローブ４１の外鍔４１３を上下方向から挟み込む。
【００２２】
覆板４３は、取付ベース４２の貫通孔４２３を覆う。覆板４３は、例えば、ステンレス鋼などによって形成され、適宜の塗装が施されている。覆板４３は、円板状に形成される上壁４３１と、上壁４３１の周縁から下方に突出する側壁４３２とを有する。側壁４３２の下縁端は、取付ベース４２の上壁４２１の上面と接触する。覆板４３の上壁４３１の周部と取付ベース４２の上壁４２１との間には、円環状のパッキン４５が介在する。覆板４３は、複数（ここでは、３つ）のねじ６２によって取付部材５に固定されている。
【００２３】
取付部材５は、例えば、アルミニウム合金、又はステンレス鋼などによって形成される。取付部材５は、グローブ４１の貫通孔４１４に通される円筒状の第１筒部５１と、ポール１０の第２端１０２を挿入可能な円筒状の第２筒部５２とを有する。取付部材５では、第１筒部５１と、第２筒部５２とが上下方向に並んでいる。取付部材５では、上下方向において、第１筒部５１が第２筒部５２よりも上にある。取付部材５では、第２筒部５２の外径及び内径が、第１筒部５１の外径よりも大きい。取付部材５は、第１筒部５１の下端縁と第２筒部５２の上端縁とを繋いでいる連結部５１２を備えている。第２筒部５２の内部空間は、第１筒部５１の内部空間と繋がっている。照明器具１では、連結部５１２の上面上に、第１筒部５１の外周を囲む円環状のパッキン４６が配置されている。パッキン４６は、グローブ４１の底壁４１１と連結部５１２との間に介在する。
【００２４】
取付部材５は、図４及び図６に示すように、第１筒部５１の内周面から第１筒部５１の径方向内向きに突出し、第１筒部５１の上下方向の全長に亘って形成されている３つの第１ボス５５ａ及び３つの第２ボス５５ｂを有する。ここにおいて、３つの第１ボス５５ａの各々は、覆板４３の上壁４３１から挿通されたねじ６２が嵌め合わされるねじ孔５５１を有する。３つの第１ボス５５ａは第１筒部５１の周方向において略等間隔で並んでいる。３つの第２ボス５５ｂは第１筒部５１の周方向において略等間隔で並んでいる。３つの第２ボス５５ｂは、３つの第１ボス５５ａのうち隣り合う２つの第１ボス５５ａの間に１つずつ配置されている。各第１ボス５５ａ及び各第２ボス５５ｂの第１筒部５１の径方向内向きへの突出寸法は同じである。
【００２５】
第１筒部５１の上面側に配置される覆板４３と取付ベース４２とは、ねじ６２が取付部材５の第１ボス５５ａのねじ孔５５１に嵌め合わされることで、第１筒部５１に固定される。３つのねじ６２の各々は、覆板４３の上壁４３１の挿通孔及び取付ベース４２の上壁４２１の挿通孔を通って、３つの第１ボス５５ａのねじ孔５５１に嵌め合わされる。これにより器具本体３では、ハウジング４と取付部材５とが結合されている。
【００２６】
ところで、取付部材５の第２筒部５２は、互いに外径の異なる３種類のポール１０（図２、図９、及び図１１参照）の第２端１０２を収納可能に構成されている。ここにおいて、互いに外径の異なる３種類のポール１０とは、少なくとも第２端１０２の外径が互いに異なっていればよく、例えば、３種類のポール１０で、第１端１０１の外径が同じでもよい。以下では、説明の便宜上、３種類のポール１０のうち、第２端１０２の外径が最も大きいポール１０（図９参照）を大ポール１０ａということもある。また、３種類のポール１０のうち、第２端１０２の外径が最も小さいポール１０（図２、図５、及び図７参照）を小ポール１０ｂということもある。さらに、３種類のポール１０のうち、第２端１０２の外径が大ポール１０ａよりも小さく、かつ小ポール１０ｂよりも大きいポール１０（図１１参照）を中ポール１０ｃということもある。例えば、大ポール１０ａ、中ポール１０ｃ及び小ポール１０ｂの第２端１０２の外径は、それぞれ、１０１ｍｍ、８９ｍｍ及び７６ｍｍである。
【００２７】
取付部材５は、第２筒部５２の内周面から第２筒部５２の径方向内向きに突出し上下方向に沿って形成されている複数（ここでは、３つ）のリブ５３を備える。複数のリブ５３の各々は、第２筒部５２の周方向に沿った方向において略等間隔で並んでいる。ここにおいて、複数のリブ５３は、上下方向において、複数の第２ボス５５ｂに一対一に重なっている（図６参照）。
【００２８】
複数のリブ５３のそれぞれは、図４及び図６に示すように、小リブ部５３１と、中リブ部５３２と、大リブ部５３３とを有する。取付部材５では、小リブ部５３１、中リブ部５３２、及び大リブ部５３３のうち、大リブ部５３３の突出寸法が最も大きく、小リブ部５３１の突出寸法が最も小さい。
【００２９】
取付部材５では、第１筒部５１の中心線（第１中心線）と第２筒部５２の中心線（第２中心線）とが一直線上にあり、各第１ボス５５ａ及び第２ボス５５ｂと第１中心線との距離が、各大リブ部５３３と第２中心線との距離よりも短い。各第１ボス５５ａ及び各第２ボス５５ｂと第１中心線との距離は、小ポール１０ｂの第２端１０２の外径の半分の値よりも小さい。
【００３０】
各大リブ部５３３と第２中心線との距離は、各中リブ部５３２と第２中心線との距離よりも短い。各大リブ部５３３と第２中心線との距離は、中ポール１０ｃの第２端１０２の外径の半分の値よりも小さい。
【００３１】
各中リブ部５３２と第２中心線との距離は、各小リブ部５３１と第２中心線との距離よりも短い。各中リブ部５３２と第２中心線との距離は、大ポール１０ａの第２端１０２の外径の半分の値よりも小さい。
【００３２】
各小リブ部５３１と第２中心線との距離は、大ポール１０ａの第２端１０２の外径の半分の値よりも大きい。ただし、各小リブ部５３１の上端と第２中心線との距離は、各小リブ部５３１の下端と第２中心線との距離よりも小さい。各小リブ部５３１の上端と第２中心線との距離は、ポール１０ａの第２端１０２の外径の半分の値と略同一であることが好ましい。
【００３３】
複数のリブ５３の各々における小リブ部５３１、中リブ部５３２、及び大リブ部５３３は、第２筒部５２の下端面５０１から第１筒部５１に向かって小リブ部５３１、中リブ部５３２、及び大リブ部５３３の順で並んでいる。つまり、複数のリブ５３の各々は、階段状に形成されている。各リブ５３の下端面は第２筒部５２の下端面よりも上方にある。
【００３４】
複数の小リブ部５３１の各々は、大ポール１０ａ（図９参照）の第２端１０２の一部の外面と接触可能である。複数の小リブ部５３１のうちの１つの小リブ部５３１の第２筒部５２の周方向における長さは、他の２つの小リブ部５３１の第２筒部５２の周方向における長さよりも長い。複数の小リブ部５３１のうち第２筒部５２の周方向における長さがより長い小リブ部５３１は、図４及び図６に示すように、２つのねじ孔５１４を有する。２つのねじ孔５１４は上下方向において一直線上に配置されている。２つのねじ孔５１４には、第２筒部５２の外側から第２筒部５２の径方向内向きにねじ６４が嵌め合わされる（図５及び図７参照）。また、第２筒部５２には、２つのねじ孔５１４のうち取付部材５の下端面５０１側のねじ孔５１４に第２筒部５２の径方向において対向するねじ孔５１５が形成される。ねじ孔５１５には、第２筒部５２の外側から第２筒部５２の径方向内向きにねじ６５が嵌め合わされる（図５参照）。
【００３５】
複数の小リブ部５３１の各々では、第２筒部５２の軸方向に直交する断面において、第２筒部５２の径方向の中心側の先端面が、第２筒部５２の外周縁と同心円の円弧である。また、複数の小リブ部５３１の各々は、大ポール１０ａの第２端１０２が第２筒部５２の下側の開口側から挿入され易いように、第１筒部５１に向かうにつれて第２中心線との距離が徐々に小さくなっている。すなわち、複数の小リブ部５３１の先端面を通る円の直径は、第１筒部５１に近い円ほど小さくなる。
【００３６】
複数の中リブ部５３２の下端面には、大ポール１０ａの第２端１０２の端面（上端面）１０３が接触可能である（図９参照）。大ポール１０ａが複数の中リブ部５３２の下端面に接触することで、大ポール１０ａの第２端１０２側における器具本体３の下向きの移動が規制される（図９参照）。
【００３７】
複数の中リブ部５３２の各々は、中ポール１０ｃの第２端１０２の一部の外面と接触可能である（図９参照）。複数の中リブ部５３２の各々では、第２筒部５２の軸方向に直交する断面において、第２筒部５２の径方向の中心側の先端面が、第２筒部５２の外周縁と同心円の円弧である。また、複数の中リブ部５３２の各々は、中ポール１０ｃの第２端１０２が第２筒部５２の下面の開口側から挿入され易いように、第１筒部５１に向かうにつれて、第２中心線との距離が小さくなっている。すなわち、複数の中リブ部５３２の先端面を通る円の直径は、第１筒部５１に近い円ほど小さくなる。
【００３８】
複数の大リブ部５３３の各々の下端面には、中ポール１０ｃの第２端１０２の上端面１０３が接触可能である。中ポール１０ｃの上端面１０３が複数の大リブ部５３３の下端面に接触することで、中ポール１０ｃの第２端１０２側における器具本体３の下向きの移動が規制される（図２参照）。
【００３９】
複数の大リブ部５３３は、小ポール１０ｂの第２端１０２の一部の外面と接触可能である（図１１参照）。複数の大リブ部５３３の各々では、第２筒部５２の軸方向に直交する断面において、第２筒部５２の径方向の中心側の先端面が、第２筒部５２の外周縁と同心円の円弧である。また、複数の大リブ部５３３は、小ポール１０ｂの第２端１０２が第２筒部５２の下面の開口側から挿入され易いように、第１筒部５１に向かうにつれて、第２中心線との距離が小さくなっている。すなわち、複数の大リブ部５３３の先端面を通る円の直径は、第１筒部５１に近い円ほど小さくなる。
【００４０】
複数の第２ボス５５ｂの各々下端面には、小ポール１０ｂの第２端１０２の上端面１０３が接触可能である。小ポール１０ｂの上端面１０３が複数の第２ボス５５ｂの下端面に接触することで、小ポール１０ｂの第２端１０２側における器具本体３の下向きの移動が規制される（図１１参照）。
【００４１】
照明器具１は、ポール１０の外面と第２筒部５２の内周面との間の隙間を塞ぐためのシール部材７（図２、図５、図７、及び図８参照）を備える。図２に示すように、照明器具１では、第２筒部５２が小ポール１０ｂの第２端１０２に取り付けられた状態において、第２筒部５２の内周面と、小ポール１０ｂの外面との間に、隙間５０３が生じている。シール部材７は、第２筒部５２の下端面５０１に取り付けられることで、隙間５０３を塞ぐ。
【００４２】
以下の説明において、シール部材７は、照明器具１の取付部材５を小ポール１０ｂ（図２及び図７参照）に取り付けられた場合に生じる隙間５０３を塞ぐ部材として説明する。シール部材７は、図７に示すように、円筒形状の筒部７２と、筒部７２の下端の全周から筒部７２の径方向外向きに突出する鍔部７３とを備える。
【００４３】
シール部材７の内周面７２０ｃ（図２及び図５参照）は、小ポール１０ｂの第２端１０２の外面に沿った形状に形成される。シール部材７の内径は、小ポール１０ｂの第２端１０２の外径と略同じである。
【００４４】
シール部材７は、図７、及び図８Ａに示すように、２つの嵌合部材７１によって構成される。２つの嵌合部材７１は、同一の形状である。２つの嵌合部材７１は、小ポール１０ｂの周方向に並んで配置され、小ポール１０ｂを全周に亘って囲む。２つの嵌合部材７１における内側の面（内面７２０ａ）は、２つの嵌合部材７１が互いに嵌め合わされた場合におけるシール部材７の内周面７２０ｃ（図２、図５及び図７参照）の一部を構成する（図８Ａ参照）。また、２つの嵌合部材７１における外側の面（外面７２０ｂ）は、２つの嵌合部材７１が互いに嵌め合わされた場合におけるシール部材７の外周面７２０ｄ（図２、図５及び図７参照）の一部を構成する（図８Ａ参照）。
【００４５】
２つの嵌合部材７１の各々は、筒部７２の一部を形成する本体部７２０と、鍔部７３の一部を形成する弧状鍔部７３０とを有する。嵌合部材７１の各々の弧状鍔部７３０は、本体部７２０の下端の全周から本体部７２０の径方向外向きに突出する。弧状鍔部７３０は、略半円環状に形成される。２つの本体部７２０の各々は、第１端面７２ａに形成されている第１嵌合部７２１と、第２端面７２ｂに形成されている第２嵌合部７２２とを有する。また、２つの本体部７２０の各々は、筒部７２の軸方向に平行な方向において弧状鍔部７３０が形成されている第１端７２ｃと第１端７２ｃの反対側の第２端７２ｄとを有する。
【００４６】
２つの嵌合部材７１は、例えば、シリコーンゴムなどの弾性を有する樹脂材料によって形成される。第１嵌合部７２１は、図８Ａに示すように、第１端面７２ａから筒部７２の周方向に沿った方向に突出する。第１嵌合部７２１は、第１端面７２ａから突出する凸部である。より詳細には、第１嵌合部７２１は、Ｔ字状に形成されている。第１嵌合部７２１は、上下方向の幅が狭い幅狭部７２６と、幅狭部７２６の先端側に設けられる上下方向の幅の広い幅広部７２７とで構成される。第１嵌合部７２１は、筒部７２の一径方向から見て、筒部７２の周方向に沿ったＴ字状に形成されている。
【００４７】
第２嵌合部７２２は、第２端面７２ｂに形成される凹部である。より詳細には、第２嵌合部７２２は、第２端面７２ｂに形成されるＴ字状の切欠きである。第２嵌合部７２２は、第１嵌合部７２１と合致する切欠きである。第２嵌合部７２２は、幅狭部７２６が嵌る第１凹部７２８と、幅広部７２７が嵌る第２凹部７２９とを含む。
【００４８】
２つの嵌合部材７１のうち一方の嵌合部材７１の第１嵌合部７２１が他方の嵌合部材７１の第２嵌合部７２２と嵌り合う。また、一方の嵌合部材７１の第２嵌合部７２２が他方の嵌合部材７１の第１嵌合部７２１と嵌り合う。このように、２つの嵌合部材７１は、第１嵌合部７２１と第２嵌合部７２２とが互いに嵌り合うことで、筒部７２の周方向及び軸方向に対する第１嵌合部７２１及び第２嵌合部７２２の移動を規制する。
【００４９】
２つの嵌合部材７１の本体部７２０の各々は、取付部材５に保持されたねじ６４とねじ６５とのいずれかが挿入可能となるように、第１切欠き部７２３と、第２切欠き部７２４とを更に備える。
【００５０】
第１切欠き部７２３は、筒部７２の周方向において本体部７２０の中央部に形成されている。第１切欠き部７２３は、本体部７２０における第２端７２ｄ側、内面７２０ａ側及び外面７２０ｂ側が開放された切欠きである。第１切欠き部７２３の筒部７２の周方向における幅はねじ６４，６５のそれぞれの軸部の外径よりも大きい。第１切欠き部７２３の第２端７２ｄにおける開放端は、第２端７２ｄの端面に近づくにつれて、開口が広がるように形成されている。第２切欠き部７２４は、筒部７２の周方向に沿って、本体部７２０に形成される。第２切欠き部７２４は、第１切欠き部７２３における本体部７２０の第１端７２ｃ側で、第１切欠き部７２３と繋がっている。第２切欠き部７２４の上下方向の幅はねじ６４，６５のそれぞれの軸部の外径よりも大きい。
【００５１】
本体部７２０は、筒部７２の周方向において、第２切欠き部７２４の第１切欠き部７２３側に形成されている突部７５を更に有する。突部７５は、先端側ほど筒部７２の周方向の幅が狭くなるように、先細りした形状である。突部７５では、第１切欠き部７２３側の面とは反対側の面が筒部７２の軸方向に平行であり、この反対側の面と切欠き部７２３側の面とで決まる内角が鋭角である。突部７５は、第２切欠き部７２４の一部を塞ぐ。図７における右側の第１嵌合部材７１ａは、施工時に、第１嵌合部材７１ａの下方から見てポール１０の外面の回りで反時計回りに回転可能である。これにより、第１切欠き部７２３を通されていたねじ６４の軸部の一部を第２切欠き部７２４内に収容することができる。突部７５は、第２切欠き部７２４に軸部の一部が収容されたねじ６４が第２切欠き部７２４から出て第１切欠き部７２３に入るのを抑制する。ここにおいて、突部７５は、ねじ６４が突部７５に当たることで、第１嵌合部材７１ａの下方から見て時計回りに回転する第１嵌合部材７１ａの移動を規制する。
【００５２】
また、図７における左側の第２嵌合部材７１ｂは、施工時に、第２嵌合部材７１ｂの下方から見てポール１０の外面の回りで反時計回りに回転可能である。これにより、第１切欠き部７２３を通されていたねじ６５の軸部を第２切欠き部７２４内に収容することができる。突部７５は、第２切欠き部７２４に軸部の一部が収容されたねじ６５が第２切欠き部７２４から出て第１切欠き部７２３に入るのを抑制する。ここにおいて、ねじ６５が突部７５に当たることで、第２嵌合部材７１ｂの下方から見て時計回りに回転する第２嵌合部材７１ｂの移動を規制する。
【００５３】
例えば、ねじ６４が第１切欠き部７２３から第２切欠き部７２４に移動する場合、突部７５の先端がねじ６４に接触しながら第２切欠き部７２４側に弾性変形する。突部７５がねじ６４から離れると、突部７５の先端は、弾性によって、元の位置に戻る。ねじ６４及びねじ６５の各々が第２切欠き部７２４の各々の軸部の一部が収容されている状態において、シール部材７は、取付部材５及びポール１０に保持される。また、ねじ６４及びねじ６５の各々が第２切欠き部７２４に挿入される状態において、シール部材７の脱落が防止される。
【００５４】
２つの弧状鍔部７３０の各々は、本体部７２０の第１端７２ｃの外周縁の全周に亘って、筒部７２の径方向外向きに突出する。図８Ａ及び図８Ｂに示すように、弧状鍔部７３０は、第１面７３ａと、第２面７３ｂと、第３面７３ｃとを有する。第１面７３ａは、本体部７２０の外面７２０ｂと繋がっている。第１面７３ａは、本体部７２０の外面７２０ｂから離れるにつれて下方に傾斜する。ここでは、２つの弧状鍔部７３０の各々の第１面７３ａは、小リブ部５３１の下端面５１６（図４及び図６参照）に沿った形状に形成されていることが好ましい。第２面７３ｂは、第１端７２ｃの端面に、第１端７２ｃの端面と平面状に繋がっている。第３面７３ｃは、第２筒部５２の下端の内周面に沿った形状である。第３面７３ｃの曲率半径は、第２筒部５２の下端の内周面の曲率半径と略同じである。２つの弧状鍔部７３０の各々の第２面７３ｂには、図８Ａに示すように、丸穴７３１が形成される。丸穴７３１は、嵌合部材７１をポール１０の外面に沿って移動させる際にドライバなどの先端を挿入させることが可能な大きさに形成されていることが好ましい。丸穴７３１は、筒部７２の軸方向と平行な方向において、第１切欠き部７２３と一直線上に形成されることが好ましい。これにより、施工者が、シール部材７を取付部材５とポール１０との隙間５０３に入れるときに第１切欠き部７２３とねじ６４又はねじ６５とを位置合わせするための目印として丸穴７３１を利用することができる。
【００５５】
図１０Ａ、図１０Ｂ、図１０Ｃ、図１０Ｄ、及び図１０Ｅを参照して、小ポール１０ｂに照明器具１を取り付ける方法について説明する。下記の取付方法は、一例であって、これに限定されない。
【００５６】
施工者は、器具本体３における取付部材５に小ポール１０ｂの第２端１０２が挿入されるように、小ポール１０ｂの第２端１０２側から第１端１０１側に向かって器具本体３を移動させる。ここにおいて、施工者は、小ポール１０ｂの上端面１０３と取付部材５の各第２ボス５５ｂの下端面とが接触するまで、器具本体３を小ポール１０ｂの第１端１０１側に向かって移動させる。このとき、小ポール１０ｂの上端面１０３が第２ボス５５ｂの下端面に接触することで、小ポール１０ｂの第２端１０２の一部は、複数の大リブ部５３３の先端面に接触した状態で第２筒部５２に収納される。小ポール１０ｂの上端面１０３が複数の第２ボス５５ｂの下端面に接触することで、小ポール１０ｂの第１端１０１側に向かう方向への器具本体３の移動が規制される。
【００５７】
次に、施工者は、２つのねじ孔５１４のうち取付部材５の下端面５０１側のねじ孔５１４に保持されているねじ６４を、ねじ６４の先端が小ポール１０ｂの外面に接触するまで回す。施工者は、ねじ孔５１５に保持されているねじ６５を、ねじ６５の先端が小ポール１０ｂの外面に接触するまで回す。さらに、２つのねじ孔５１４のうち下端面５０１から離れたねじ孔５１４にねじ６４を、ねじ６４の先端が小ポール１０ｂの外面に接触するまで回す。２つのねじ６４及びねじ６５がそれぞれの軸部において、ねじ孔５１４，５１５に嵌め合わされている部位を適宜変えることで、小ポール１０ｂの軸方向と第２筒部５２の軸方向とが同じになるように、器具本体３が小ポール１０ｂに取り付けられる（図１０Ａ参照）。
【００５８】
次に、施工者は、２つの嵌合部材７１のうち一方の嵌合部材７１（以下、第１嵌合部材７１ａと呼ぶ）を、取付部材５の下方で小ポール１０ｂの外面に押さえつけて、本体部７２０の内面７２０ａを小ポール１０ｂの外面に接触させる。そして、施工者は、図１０Ｂに示すように、２つの嵌合部材７１のうち他方の嵌合部材７１（以下、第２嵌合部材７１ｂと呼ぶ）の本体部７２０の内面７２０ａを小ポール１０ｂの外面に沿わせながら、第２嵌合部材７１ｂの第１嵌合部７２１と第１嵌合部材７１ａの第２嵌合部７２２とを近づける。その後、施工者は、図１０Ｃに示すように、第１嵌合部材７１ａと第２嵌合部材７１ｂとを互いに嵌め合わせてシール部材７を形成し、このシール部材７を取付部材５の下方から取付部材５に近づける。
【００５９】
次に、施工者は、丸穴７３１とねじ６４とが筒部７２の軸方向と平行な方向において略一直線上に並ぶように位置合わせしてから、シール部材７を器具本体３の取付部材５と小ポール１０ｂとの間の隙間５０３に挿入する（図１０Ｄ参照）。このとき、施工者は、ねじ６４及びねじ６５の各々が第１切欠き部７２３に挿入されて、本体部７２０の第１端７２ｃ側における第１切欠き部７２３の縁部に接触するまで、シール部材７を上側に移動させる。その後、施工者は、小ポール１０ｂの第１端１０１側からシール部材７を見て、シール部材７を反時計回りに回転させる（図１０Ｅ参照）。このとき、施工者は、ドライバなどの先端を２つの丸穴７３１のうち少なくとも一方の丸穴７３１に挿入させて、シール部材７を小ポール１０ｂの回りで回転させる。そして、施工者は、ねじ６４及びねじ６５の各々の軸部が、筒部７２の周方向における第２切欠き部７２４の縁部に当たるまで第２切欠き部７２４に入れる（図７参照）。
【００６０】
本実施形態の照明器具１では、シール部材７を使用することで、すでに設置された小ポール１０ｂに、器具本体３が取り付けられた状態において器具本体３を小ポール１０ｂから取り外さずに、シール部材７で隙間５０３を塞ぐことができる。また、シール部材７は、互いに同じ形状の２つの嵌合部材７１で構成されているので、生産性の向上が期待できる。
【００６１】
以上説明したように、本実施形態のシール部材７は、複数の嵌合部材７１を備える。複数の嵌合部材７１は、長手方向の第１端１０１及び第２端１０２を有するポール１０（小ポール１０ｂ）における第２端１０２の外面とポール１０の第２端１０２を覆う照明器具１においてポール１０の第２端１０２の外面に対向する面（取付部材５における第２筒部５２の内周面）との間の隙間５０３に配置される。複数の嵌合部材７１は、互いに嵌合されることで、筒部７２と筒部７２の軸方向の一端（第１端）７２ｃにおいて筒部７２の周方向の全周に亘って筒部７２の外方に突出する鍔部７３とを有する形状となる。複数の嵌合部材７１は、同一形状である。複数の嵌合部材７１は、筒部７２の周方向に交差する２つの端面（第１端面７２ａ及び第２端面７２ｂ）を有する。これにより、シール部材７は、照明器具１の一部とポール１０の外面（第２端１０２の外面）との間の隙間５０３を塞ぐことが可能である。
【００６２】
シール部材７では、複数の嵌合部材７１ａ，７１ｂの各々が、２つの端面のうち一方の端面である第１端面７２ａに形成されている第１嵌合部７２１を備えることが好ましい。また、複数の嵌合部材７１ａ，７１ｂの各々が、２つの端面のうち他方の端面である第２端面７２ｂに形成されている第２嵌合部７２２を備えることが好ましい。複数の嵌合部材７１ａ，７１ｂのうち筒部７２の周方向において隣り合う２つの嵌合部材７１ａ，７１ｂの一方の嵌合部材７１ａの第１嵌合部７２１と、他方の嵌合部材７１ｂの第２嵌合部７２２とが嵌合可能であることが好ましい。これにより、シール部材７では、筒部７２の周方向において隣り合う２つの嵌合部材７１ａ、７１ｂが、互いに容易に外れ難くなる。
【００６３】
シール部材７では、第１嵌合部７２１が、第１端面７２ａから筒部７２の周方向に沿った方向に突出した凸部であり、第２嵌合部７２２が、第２端面７２ｂに形成された凹部であることが好ましい。これにより、シール部材７では、筒部７２の周方向いおいて隣り合う２つの嵌合部材７１ａ、７１ｂの上下方向における移動が規制される。
【００６４】
照明器具１は、ポール１０に対してねじ６４，６５により取り付けられるように構成されていることが好ましい。シール部材７では、複数の嵌合部材７１ａ、７１ｂの各々は、筒部７２の軸方向に平行な方向に沿って形成されており鍔部７３とは反対側が開放された第１切欠き部７２３を備えることが好ましい。複数の嵌合部材７１ａ、７１ｂの各々は、嵌合部材７１ａ、７１ｂにおいて、周方向に沿って形成され第１切欠き部７２３と繋がっている第２切欠き部７２４を更に備えることが好ましい。第１切欠き部７２３及び第２切欠き部７２４の幅はねじ６４，６５の軸部の外径よりも大きいことが好ましい。これにより、シール部材７では、第２切欠き部７２４にねじ６４及びねじ６５が挿入されることにより、筒部７２の軸方向と平行する方向におけるシール部材７の移動が規制される。
【００６５】
シール部材７では、複数の嵌合部材７１ａ，７１ｂの各々は、弾性体であることが好ましい。複数の嵌合部材７１ａ，７１ｂの各々は、第２切欠き部７２４における第１切欠き部７２３側で、第２切欠き部７２４の縁部から軸方向に平行する方向に突出した、突部７５を更に備えることが好ましい。これにより、シール部材７では、突部７５の先端がねじ６４に接触しながら第２切欠き部７２４側に弾性変形するので、ねじ６４及びねじ６５が第２切欠き部７２４に挿入可能である。さらに、ねじ６４及びねじ６５が突部７５に当たって、ねじ６４及びねじ６５が第２切欠き部７２４から容易に第１切欠き部７２３に戻ることができないので、シール部材７の脱落を防止することが可能となる。
【００６６】
照明器具１では、長手方向の第１端及び第２端１０２の外面に対向する面（取付部材５における第２筒部５２の内周面）を有する器具本体３を備える。照明器具１は、器具本体３において、ポール１０の第２端１０２の外面に対向する面と外面との隙間５０３に配置される上述のシール部材７を備える。これにより、照明器具１は、照明器具１の一部とポール１０の外面（第２端１０２の外面）との間の隙間５０３を塞ぐことが可能である。
【００６７】
（変形例）
上記実施形態は、本発明の様々な実施形態の１つに過ぎない。また、上記実施形態は、本発明の目的で達成できれば、設計等に応じて種々の変更が可能である。以下に、上記実施形態の変形例について例示する。
【００６８】
変形例１では、例えば、図１１を参照して、中ポール１０ｃと照明器具１との間の隙間５０４を塞ぐシール部材７Ａについて例示する。上記実施形態の変形例１のシール部材７Ａの内径の大きさは、上記実施形態のシール部材７の内径の大きさと相違する。変形例１のシール部材７Ａに関し、上述の実施形態のシール部材７と重複する構成については、同じ符号を付し、詳しい説明は省略する。
【００６９】
図１１を参照して、中ポール１０ｃにシール部材７Ａを備える照明器具１を取り付ける方法について説明する。下記の取付方法は、一例である。
【００７０】
施工者は、器具本体３における、取付部材５に中ポール１０ｃの第２端１０２が挿入されるように、中ポール１０ｃの第２端１０２側から第１端１０１側に向かって器具本体３を移動させる。ここにおいて施工者は、中ポール１０ｃの上端面１０３と取付部材５の各大リブ部５３３の下端面とが接触するまで器具本体３を中ポール１０ｃの第１端１０１側に向かって移動させる。このとき、中ポール１０ｃの上端面１０３が大リブ部５３３の下端面に接触することで、中ポール１０ｃの第２端１０２の一部は、複数の大リブ部５３３の先端面に接触した状態で第２筒部５２に収納される。中ポール１０ｃの上端面１０３が複数の大リブ部５３３の下端面に接触することで、中ポール１０ｃの第１端１０１側に向かう方向への器具本体３の移動が規制される。
【００７１】
次に、施工者は、２つのねじ孔５１４のうち取付部材５の下端面５０１側のねじ孔５１４に保持されているねじ６４を、ねじ６４の先端が中ポール１０ｃの外面に接触するまで回す。施工者は、ねじ孔５１５に保持されているねじ６５を、ねじ６５の先端が中ポール１０ｃの外面に接触するまで回す。さらに、２つのねじ孔５１４のうち下端面５０１から離れたねじ孔５１４にねじ６４を、ねじ６４の先端が中ポール１０ｃの外面に接触するまで回す。２つのねじ６４及びねじ６５がそれぞれの軸部において、ねじ孔５１４，５１５に嵌め合わされている部位を適宜変えることで、中ポール１０ｃの軸方向と第２筒部５２の軸方向とが同じになるように、器具本体３が中ポール１０ｃに取り付けられる。
【００７２】
次に、施工者は、第１嵌合部材７１ａを取付部材５の下方で中ポール１０ｃの外面に押さえつけて、本体部７２０の内面７２０ａを中ポール１０ｃの外面に接触させる。そして、施工者は、第２嵌合部材７１ｂの本体部７２０の内面７２０ａを中ポール１０ｃの外面に沿わせながら、第２嵌合部材７１ｂの第１嵌合部７２１と第１嵌合部材７１ａの第２嵌合部７２２とを近づける。その後、施工者は、第１嵌合部材７１ａと第２嵌合部材７１ｂとを互いに嵌め合わせてシール部材７Ａを形成し、このシール部材７Ａを取付部材５の下方から取付部材５に近づける。
【００７３】
次に、施工者は、丸穴７３１とねじ６４とが筒部７２の軸方向と平行な方向において略一直線上に並ぶように位置合わせしてから、シール部材７Ａを器具本体３の取付部材５と中ポール１０ｃとの間の隙間５０３に挿入する。このとき、施工者は、ねじ６４及びねじ６５の各々が第１切欠き部７２３に挿入されて、本体部７２０の第１端７２ｃ側における第１切欠き部７２３の縁部に接触するまで、シール部材７Ａを上側に移動させる。その後、施工者は、中ポール１０ｃの第１端１０１側からシール部材７を見て、シール部材７Ａを反時計回りに回転させる。このとき、施工者は、ドライバなどの先端を２つの丸穴７３１のうち少なくとも一方の丸穴７３１に挿入させて、シール部材７Ａを中ポール１０ｃの回りで回転させる。そして、施工者は、ねじ６４及びねじ６５の各々の軸部が、筒部７２の周方向における第２切欠き部７２４の縁部に当たるまで第２切欠き部７２４に入れる。
【００７４】
変形例のシール部材７Ａ及びそれを備える照明器具１では、シール部材７Ａが中ポール１０ｃと器具本体３との間に生じる隙間５０４を塞ぐように形成される。したがって、シール部材７Ａは、大ポール１０ａの外径よりも小さく、小ポール１０ｂの外径よりも大きいポール（中ポール１０ｃ）の外面（第２端１０２の外面）との間の隙間５０４を塞ぐことが可能である。
【００７５】
また、例えば、シール部材７は、３つ以上の嵌合部材で構成されてもよい。
【００７６】
また、シール部材７の筒部７２の形状は、ポールの形状によって、上述の実施形態の筒部７２の形状と異なる形状に形成されてもよい。また、本体部７２０の外面７２０ｂ、弧状鍔部７３０の第１面７３ａ、第２面７３ｂ、及び第３面７３ｃの形状は、上述の実施形態の第１面７３ａ、第２面７３ｂ、及び第３面７３ｃの形状と異なる形状に形成されてもよい。また、鍔部７３の形状は、照明器具１の内面の形状によって、実施形態の鍔部７３の形状と異なる形状に形成されてもよい。
【００７７】
嵌合部材７１の第１嵌合部７２１と第２嵌合部７２２の形状は、上述の実施形態の形状に限定されない。変形例の嵌合部材７１は、例えば、第１端面７２ａの端面から、筒部７２の周方向に沿った方向に突出する半円形状の凸部が形成されてもよい。また、第２嵌合部７２２は、第２端面７２ｂを半円形状の切欠きでもよい。
【００７８】
また、照明器具１では、ねじ孔５１４の数は、２つに限定されず１つでもよい。また、ねじ孔５１４は、中リブ部５３２及び大リブ部５３３に形成されてもよい。
【００７９】
また、シール部材７は、シール部材７以外が照明器具１と同様の構成を有する既設の照明器具に対して適用することができる。
【符号の説明】
【００８０】
１  照明器具
１０  ポール
１０１  第１端
１０２  第２端
３  器具本体
５  取付部材
５０３，５０４  隙間
６４  ねじ
６５  ねじ
７  シール部材
７１  嵌合部材
７２  筒部
７２ａ  第１端面
７２ｂ  第２端面
７２１  第１嵌合部
７２２  第２嵌合部
７２３  第１切欠き部
７２４  第２切欠き部
７３  鍔部
７５  突部
【図１】
2018132081.tif 000003
【図２】
2018132081.tif 000004
【図３】
2018132081.tif 000005
【図４】
2018132081.tif 000006
【図５】
2018132081.tif 000007
【図６】
2018132081.tif 000008
【図７】
2018132081.tif 000009
【図８】
2018132081.tif 000010
【図９】
2018132081.tif 000011
【図１０】
2018132081.tif 000012
【図１１】
2018132081.tif 000013